【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
複数のイメージングプロトコルによる医療イメージングを用いて患者に臨床手順を実行するための拡張現実システムであって、
前記複数のイメージングプロトコルの中からの最適なイメージングプロトコルの選択を可能にする、インターフェースモジュールと、
ユーザによって可視のディスプレイを有する頭部装着可能拡張現実プラットフォームと、
前記複数のイメージングプロトコルにそれぞれ対応する手順においてトレーニングされ、選択された前記最適なイメージングプロトコルに対する案内を提供し、現在の状態に基づいて次に選択される最適なイメージングプロトコル又は前記選択された最適なイメージングプロトコルに対応する手順における次のアクティビティを予測する、予測モジュールと、
前記予測モジュールに応答して、前記頭部装着可能拡張現実プラットフォームの前記ディスプレイを通して、前記ユーザに、予測される前記次のアクティビティ又は予測される前記次に選択される最適なイメージングプロトコルの視覚的合図を提供するための、画像生成モジュールと
を備える、拡張現実システム。
【請求項２】
前記現在の状態が、セッションの開始をトリガするためのユーザアクションのシーケンスを含む、請求項１に記載の拡張現実システム。
【請求項３】
前記ユーザアクションが、眼の動き、頭部の動き、ジェスチャー、機器の使用及び眼の焦点合わせのうちの少なくとも１つを含む、請求項２に記載の拡張現実システム。
【請求項４】
前記現在の状態が、イメージングモダリティからの線量情報を含む、請求項１に記載の拡張現実システム。
【請求項５】
非視覚的合図又は指示を提供する１つ又は複数のフィードバックデバイスをさらに備える、請求項１に記載の拡張現実システム。
【請求項６】
手順のアクティビティを記憶する１つ又は複数のモデルであって、現在のアクティビティに適合し、前記選択された最適なイメージングプロトコルに対応する前記手順における前記次のアクティビティを予測するモデルを決定するために、前記予測モジュールによって利用される、１つ又は複数のモデルをさらに備える、請求項１に記載の拡張現実システム。
【請求項７】
手順のアクティビティを記憶する１つ又は複数のモデルであって、前記選択された最適なイメージングプロトコルに対応する前記手順におけるアクティビティのシーケンスを通して前記ユーザを案内するために利用される、１つ又は複数のモデルをさらに備える、請求項１に記載の拡張現実システム。
【請求項８】
ユーザの視点からのアクティビティに関する視覚的情報であって、前記選択された最適なイメージングプロトコルに対応する前記手順におけるアクティビティのシーケンスを通して前記ユーザを案内するための視覚的情報を提供する、前記頭部装着可能拡張現実プラットフォーム上のカメラをさらに備える、請求項１に記載の拡張現実システム。
【請求項９】
前記現在の状態が、ユーザアクションのシーケンス、眼の動き、頭部の動き、ジェスチャー、眼の焦点合わせ、放射線量情報、並びに、前記頭部装着可能拡張現実プラットフォーム、及び前記手順において利用される器具のうちの少なくとも１つのためのナビゲーション情報、のうちの少なくとも１つを含む、請求項１に記載の拡張現実システム。
【請求項１０】
患者に臨床手順を実行するための拡張現実システムであって、
前記患者の医療イメージングのために用いられる複数のイメージングプロトコルの中からの最適なイメージングプロトコルの選択を可能にする、インターフェースモジュールと、
ユーザによって可視のディスプレイを有する頭部装着可能拡張現実プラットフォームと、
手順のアクティビティを記憶する１つ又は複数のモデルと、
前記複数のイメージングプロトコルに対応する手順においてトレーニングされ、選択された前記最適なイメージングプロトコルに対する案内を提供し、前記１つ又は複数のモデルと比較した現在の状態に基づいて前記選択された最適なイメージングプロトコルに対応する手順における次のアクティビティを予測し、その結果、現在のアクティビティに適合する最良のモデルが利用されて、前記次のアクティビティを予測するか、又は前記選択された最適なイメージングプロトコルに対応する前記手順におけるアクティビティのシーケンスを通して前記ユーザを案内する、予測モジュールと、
前記予測モジュールに応答して、前記頭部装着可能拡張現実プラットフォームの前記ディスプレイを通して、前記ユーザに、予測される前記次のアクティビティの視覚的合図を提供するための、画像生成モジュールと
を備える、拡張現実システム。
【請求項１１】
前記現在の状態が、セッションの開始をトリガするためのユーザアクションのシーケンスを含む、請求項１０に記載の拡張現実システム。
【請求項１２】
前記ユーザアクションが、眼の動き、頭部の動き、ジェスチャー、機器の使用及び眼の焦点合わせのうちの少なくとも１つを含む、請求項１１に記載の拡張現実システム。
【請求項１３】
前記現在の状態が、イメージングモダリティからの線量情報を含む、請求項１０に記載の拡張現実システム。
【請求項１４】
非視覚的合図又は指示を提供する１つ又は複数のフィードバックデバイスをさらに備える、請求項１０に記載の拡張現実システム。
【請求項１５】
前記ユーザの視点からのアクティビティに関する情報であって、前記選択された最適なイメージングプロトコルに対応する前記手順におけるアクティビティのシーケンスを通して前記ユーザを案内するための情報を提供する、前記頭部装着可能拡張現実プラットフォーム上のカメラをさらに備える、請求項１０に記載の拡張現実システム。
【請求項１６】
前記現在の状態が、前記頭部装着可能拡張現実プラットフォーム、及び前記手順において利用される器具のうちの少なくとも１つのためのナビゲーション情報を含む、請求項１０に記載のシステム。
【請求項１７】
複数のイメージングプロトコルによる医療イメージングを用いて患者に臨床手順を実行するための拡張現実システムにおける次のステップを予測するための方法であって、前記方法が、
前記複数のイメージングプロトコルの中から最適なイメージングプロトコルを選択するステップと、
頭部装着可能拡張現実プラットフォームを使用して、選択された前記最適なイメージングプロトコルの手順における現在の状態を表すデータを収集するステップと、
前記現在の状態の前記データと、過去のアクティビティのための記憶された履歴データとに基づいて、前記選択された最適なイメージングプロトコルに対応する前記手順における次のアクティビティを予測するステップと、
ユーザに、予測される前記次のアクティビティを示すために、前記頭部装着可能拡張現実プラットフォーム中のディスプレイ上に視覚的合図を生成するステップと
を有する、方法。
【請求項１８】
前記現在の状態が、ユーザアクションのシーケンス、眼の動き、頭部の動き、ジェスチャー、眼の焦点合わせ、機器の使用、放射線量情報、並びに、前記頭部装着可能拡張現実プラットフォーム、及び前記選択された最適なイメージングプロトコルに対応する前記手順において利用される器具のうちの少なくとも１つのためのナビゲーション情報、のうちの少なくとも１つを含む、請求項１７に記載の方法。
【請求項１９】
手順のアクティビティを記憶することによって、１つ又は複数のモデルをトレーニングするステップであって、その結果、前記１つ又は複数のモデルが、現在のアクティビティシーケンスに適合するように利用されて、前記選択された最適なイメージングプロトコルに対応する前記手順における前記次のアクティビティを予測する、トレーニングするステップをさらに有する、請求項１７に記載の方法。
【請求項２０】
前記頭部装着可能拡張現実プラットフォーム中の前記ディスプレイ上の視覚的合図を使用して、前記選択された最適なイメージングプロトコルに対応する前記手順におけるアクティビティのシーケンスを通してユーザを案内するステップをさらに有する、請求項１７に記載の方法。
【請求項２１】
１つ又は複数のフィードバックデバイスによって非視覚的合図又は指示を生成するステップをさらに有する、請求項１７に記載の方法。
【請求項２２】
カメラを使用して得られるユーザの視点からのアクティビティを記憶するステップと、
記憶された前記アクティビティを使用して、前記頭部装着可能拡張現実プラットフォームを用いて前記選択された最適なイメージングプロトコルに対応する前記手順におけるアクティビティのシーケンスを通して前記ユーザを案内するステップと
をさらに有する、請求項１７に記載の方法。
【請求項２３】
前記選択された最適なイメージングプロトコルが、画像品質を改善し、前記患者に対する線量を低減させる、請求項１に記載の拡張現実システム。
【請求項２４】
各イメージングプロトコルが、イメージングシステムのタイプ、イメージング設定、及びビューのうちの少なくとも１つを含む、請求項１に記載の拡張現実システム。
【請求項２５】
前記複数のイメージングプロトコルの中から様々なイメージングプロトコルを選択することによる前記患者に対する線量を低減する機会を特定するステップをさらに有する、請求項１７に記載の方法。